(57)【特許請求の範囲】
【請求項１】
帯状のシートの一端部に２個の連結用リングが取り付けられ、前記シートの他端側を前記２個の連結用リングから引き出し、さらにこれらの連結用リングの間をくぐらせて拘束することにより環状に連結されるベビースリングにおいて、
前記連結用リングは、主環体の周方向の一部に外方に突出する補助環部が設けられたものであり、前記シートの一端部を前記主環体に通してループ状とし、さらにこのループ内で補助テープを前記補助環部に通すことにより取り付けられていることを特徴とするベビースリング。
【請求項２】
連結用リングは合成樹脂からなる射出成形品であり、成形用金型内に注入された樹脂が融合するウエルド部が補助環部に形成されている請求項１に記載のベビースリング。
【発明の詳細な説明】
【技術分野】
【０００１】
この発明は、帯状のシートの一端部に連結用リングを取り付けて環状に形成されるベビースリングに関する。
【背景技術】
【０００２】
ベビースリングは帯状のシートを環状に形成した抱持補助具であり、使用者の一方の肩にたすき掛けにし、幼児の身体を包み込むようにして保持するものである。一般に、帯状のシートを環状にするための連結具として２個のリングが用いられている。リングは、射出成形による合成樹脂製のものが一般的であり、シートの一端部を２個のリングに通してループ状に縫着することによって取り付けられる。そして、シートの他端部を２つのリングから引き出し、さらに２つのリングの間に通し、シートを挟み付けて拘束することにより環状に連結される。また、シートの拘束位置を変えることによって簡単にサイズ調節ができる（特許文献１参照）。
【０００３】
前記リングは円形のものの他、取付側でシートの納まりの良いＤ字形や馬蹄形のリングが用いられる。
【特許文献１】特開２００３−４７５４２号公報
【発明の開示】
【発明が解決しようとする課題】
【０００４】
前記２個の連結用リングは、シートの連結および解除、あるいは拘束位置の変更をし易くするために、ループ径にゆとりを持たせ、取付側を支点として連結側が自由に回動する（２個のリングが取付側を支点として連結側が開閉する）状態で取り付けられている。このため、シートの他端側を連結した状態であっても、長時間使用しているとリングが周方向に回動することがある。円形のリングであれば周方向に回動しても体裁は変わらないが、Ｄ字形や馬蹄形のリングが回動すると直線部分がループ外にはみ出して甚だ不体裁である。
【０００５】
また、前記リングを射出成形する際、環状のキャビティを有する金型のゲート部から溶融樹脂を注入すると、溶融樹脂はゲート部から２方向に分かれて流れ、ゲート部から１８０°の位置で融合してウエルド部が形成される。一般に射出成形品ではウエルド部の強度が他の部分よりも弱いものであり、耐荷重量を超えるとウエルド部分で割れる可能性が高い。
【０００６】
ベビースリングの連結用リングでは、シートの他端側を挟み付ける部分、即ちシートの取付位置から１８０°の位置に最も荷重がかかり、ウエルド部がこの位置にあると最も破損の可能性が高くなる。このため、リングが周方向に回動してウエルド部が最大荷重点と一致することがある。
【０００７】
言うまでもなく、ベビースリングに用いられるリングは耐荷重量に十分な余裕をもたせて設計されているが、同じリングを使用するならばより安全性の高い状態で使用したいものである。
【課題を解決するための手段】
【０００８】
本発明は、上述した技術背景に鑑み、体裁が良く安全性も高いベビースリングの提供を目的とする。
【０００９】
即ち、本発明の連結用リングおよびベビースリングは下記〔１〕〔２〕に記載の構成を有する。
【００１０】
〔１〕  帯状のシートの一端部に２個の連結用リングが取り付けられ、前記シートの他端側を前記２個の連結用リングから引き出し、さらにこれらの連結用リングの間をくぐらせて拘束することにより環状に連結されるベビースリングにおいて、
前記連結用リングは、主環体の周方向の一部に外方に突出する補助環部が設けられたものであり、前記シートの一端部を前記主環体に通してループ状とし、さらにこのループ内で補助テープを前記補助環部に通すことにより取り付けられていることを特徴とするベビースリング。
【００１１】
〔２〕  連結用リングは合成樹脂からなる射出成形品であり、成形用金型内に注入された樹脂が融合するウエルド部が補助環部に形成されている前項１に記載のベビースリング。
【発明の効果】
【００１２】
〔１〕の発明にかかるベビースリングは、連結用リングの補助環部に補助テープが通されているので、使用中に連結用リングが周方向に回動することがなく、体裁が良い。また、荷重が連結用リングの主環体と補助環部に分散されるため、取付側が補強されて安全性の高いものとなる。
【００１３】
〔２〕の発明にかかるベビースリングによれば、連結用リングのウエルド部が最も荷重のかかる主環体の連結側を避けて取付側に存在するため、使用状態において高い強度が得られる。
【発明を実施するための最良の形態】
【００１４】
図１Ａおよび図１Ｂに示すように、連結用リング(1)は、円形の主環体(10)の周方向の一部に外方に突出する補助環部(11)が設けられ、主環体(10)の外周面との間に三日月形の孔(12)が形成されている。
【００１５】
前記連結用リング(1)はポリアミド樹脂からなる射出成形品である。射出成形に用いる成形用金型は、主環体(10)の補助環部(11)から周方向に１８０°の位置にゲート部（Ｇ）が設けらている。そして、ゲート部（Ｇ）から注入された溶融樹脂は２方向に分かれて１８０°進み、主環体(10)の対向位置および補助環部(11)の中央の２箇所で融合し、それぞれの位置にウエルド部（Ｗ１）（Ｗ２）が形成される。
【００１６】
次に、前記連結用リング(1)を用いたベビースリング(20)について、図２〜４を参照しつつ説明する。なお、図２〜４に示した２個の連結用リング(1A)(1B)はいずれも図１Ａの連結用リング(1)と同一であるが、説明の都合上(1A)(1B)なる符号を用いる。
【００１７】
ベビースリング(20)において、帯状のシート(21)の一端部(21a)に２個の連結用リング(1A)(1B)が取り付けられている。前記シート(21)は、その一端部(21a)を２個の連結用リング(1A)(1B)の主環体(10)に通すとともに、補助テープ(22)を補助環部(11)に通し、補助テープ(22)の両端部がシートの先端部(21a)とともに縫着されている。これにより、主環体(10)がシート(21)で形成されたループ(23)に係止され、かつループ(23)内において補助環部(11)が補助テープ(22)で形成されたループ(24)に係止される（図４参照）。前記補助環部(11)は主環体(10)の周方向の一部にのみ設けられているため、補助環部(11)を補助テープ(22)に係止させることによって、連結用リング(1)の周方向の回動が阻止される。
【００１８】
そして、前記シート(21)の他端部(21b)を２個の連結用リング(1A)(1B)の主環体(10)から引き出して上側の連結用リング(1A)に掛け、さらに下側の連結用リング(1B)の下をくぐらせている。これにより、前記シート(21)は環状に連結されている。前記シート(21)は、２個のリング(1A)(1B)の主環体(10)に挟み付けられて拘束されるが、拘束位置を変えることによって環状部の大きさを無段階で調節することができる。
【００１９】
上述したように、連結用リング(1)が回動できない取付構造となっているため、常に主環体(10)の同じ部分でシート(21)を拘束することができ、体裁が良い。しかも、回動阻止用の補助環部(11)および補助テープ(22)はシート(21)のループ(23)内に隠れているので、外観体裁が損なわれることもない。また、回動を阻止する補助テープ(22)により、連結用リング(1)に加わる荷重が主環体(10)と補助環部(11)に分散され、その結果、連結用リング(1)の取付側を補強することとなり、ベビースリング(1)の耐荷重量が向上して安全性が高まる。
【００２０】
上述したベビースリング(20)は、シート(21)の他端側(21b)の剰余部分を下に垂らした状態でたすき掛けにして幼児を収容すると、シート(21)が下方に引っ張られて上側の連結用リング(1A)が下側の連結用リング(1B)に強く押し付けられ、シート(21)は２個の連結用リング(1A)(1B)の間で強く拘束される。このような使用状態において、連結用リング(1A)(1B)の主環体(10)の主環体(10)の中央およびその近傍、即ち射出成形時のゲート部（Ｇ）およびその近傍に最も強く力がかかる。また、連結用リング(1A)(1B)は補助テープ(22)によってシート(21)に対して回動が禁止されているため、ウエルド部（Ｗ１）（Ｗ２）は常にシート(21)の取付側にあって最大荷重点となることはなく、連結用リング(1A)(1B)はその使用状態において最も高い強度を発揮する。また、万一、主環体(10)または補助環部(11)のどちらか破損しても、他方でシート(21)を支えるフェイルセーフ機能が働き、連結用リング(1A)(1B)がシート(21)から外れることはない。
【００２１】
本発明のベビースリングにおいて、連結用リングの主環体および補助環部の形状は上記実施形態に限定されるものではなく、Ｄ字形、馬蹄形、角形、楕円形等任意形状とすることができる。図５に例示する連結用リング(2)は、主環体(13)が馬蹄形に形成され、角形側に補助環部(14)および長方形の孔(15)が形成されている。また、主環体(13)にゲート部（Ｇ）を設け、その対向位置にウエルド部（Ｗ３）（Ｗ４）が形成されている。このように取付側を角形にするとシートの納まりが良く、連結側を円形とすることでシートをスライドさせ易くなり容易に拘束位置を変更することができる。
【００２２】
また、連結用リングの材質も合成樹脂に限定されず、金属や木等を用いることができる。合成樹脂を用いる場合においても、樹脂の種類も限定されない。推奨できる樹脂は、強度の高いポリアミド樹脂である。また、合成樹脂製の連結用リングの場合、成形方法を限定するものではなく射出成形品以外も本発明に含まれる。さらに、射出成形品のウエルド位置も上記実施形態に限定されない。無論、樹脂を注入するゲート部の位置を規定するものではない。
【００２３】
また、シートの材質も限定されず、各種布帛、通気性の良いネットやメッシュ等任意のものを用いることができる。補助テープの材質も何ら限定されない。補助テープは狭く隠れた位置で使用する部材であるから外観にこだわる必要はなく、強度があって嵩の低い布テープを推奨できる。
【産業上の利用可能性】
【００２４】
本発明のベビースリングは、連結用リングが周方向に回動しない状態で取り付けることにより、良い体裁と優れた強度が得ることができた。このため、より良い外観とより確かな安全性が求められるベビースリングとして有用である。
【図面の簡単な説明】
【００２５】
【図１Ａ】本発明の一実施形態にかかる連結用リングの正面図である。
【図１Ｂ】図１Ａの１Ｂ−１Ｂ線断面図である。
【図２】図１Ａの連結用リングを使用したベビースリングを示す斜視図である。
【図３】図２の部分拡大図である。
【図４】図３の４−４線断面図である。
【図５】連結用リングの他の例を示す正面図である。
【符号の説明】
【００２６】
1,2…連結用リング
10,13…主環体
11,14…補助環部
12,15…孔
20…ベビースリング
21…シート
21a…一端部
21b…他端部
Ｗ１、Ｗ２、Ｗ３、Ｗ４…ウエルド部
【図１Ａ】
0004809041.tif 000002
【図１Ｂ】
0004809041.tif 000003
【図２】
0004809041.tif 000004
【図３】
0004809041.tif 000005
【図４】
0004809041.tif 000006
【図５】
0004809041.tif 000007